(57)【要約】【課題】フェムトワット非真空管検出器組立品の提供。【解決手段】1つの実施例では、光子数測定ユニットを基盤にした光電子増倍管の代替として1つ以上の光ダイオードを使用してフェムトワット感度光検出器が提供される。1つの実施例では、フェムトワット感度光検出器は光電子増倍管ベース光子計数ユニットの置換として意図された一つ以上の光ダイオードを使用して提供されます。一実施形態において、少なくとも1つの光ダイオードを含む機器であって:高利得トランスインピーダンスアンプ(TIA)および緩衝材がそれぞれの光ダイオード上に備えられたアナログアンプシステムを備え、複数のTIAの出力を組み合わせる完全な差動増幅器が続く機器。;およびデジタル取得システムは、少なくとも1つのアナログ-デジタル変換器(ADC)を含み、中央プロセッサおよび基盤メモリに接続されたプログラム可能なプロセッサが続く機器。【選択図】なし【特許請求の範囲】
【請求項１】
本明細書に記載の発明。
【発明の詳細な説明】
【背景技術】
【０００１】
（発明の背景技術）
光電子倍増管(略してPMT)、真空管の種類の部品、更に特定すれば真空光電子管は、紫外線、電磁スペクトルの可視線および近赤外の光に対する極度に感度のよい検出器である。残念ながら、現在のPMTの製造技術は工程が時間を要し費用がかかる。多くの製造業者はこうした課題により生産中止を決めた。生産に関する問題に加えて、非常に敏感で、PMTはまた光が過剰に届くと簡単に飽和状態になる。
【発明の概要】
【課題を解決するための手段】
【０００２】
（発明の要旨）
従来の技術に関する少なくともいくつかの不利な点は前記本明細書に記載される機器および方法の少なくともいくつかの実施例により克服される。
【０００３】
1つの実施例では、フェムトワット感度光検出器が1つ以上の光ダイオードにより提供され、光子計量ユニットベースの光電子増倍管の代替とされた。
【０００４】
1つの実施例では、前記システムは4つの主な部品から構成される。:検出された光学力（光子数）に比例した電流の形で電気信号を生成することによってのような光変換器として作用する複数の光ダイオード。1)複数のトランスインピーダンスアンプ(TIA)の出力を合成するために完全差動増幅器に続いて、高利得TIAおよび各光ダイオードの緩衝材で構成されるアナログアンプシステム。2)オンボードメモリ同様、中央プロセッサに連結されているプログラム可能なプロセッサに続いて、アナログデジタル変換器(ADC)から構成されるデジタル取得システム。プログラム可能なプロセッサは、平均または他のアルゴリズムのようなデータ取得アルゴリズムを実装する。3)前記プログラム可能なプロセッサ上のデジタルからアナログへの複数の変換器(DACs)フィードバックコントロールを行うために使用される−1つは前記差動増幅器の中のオフセット調整であり、もう一つは前記ADCの参照レベルを設定する。4)電子が格納される機械的ハウジングモジュール。
【０００５】
この要旨は、以下の詳細な説明で記載される簡略的方法の考えのひとつの選択を紹介するためのものである。この要旨は前記請求項の請求される対象に主な特徴または基本的特徴を同定する目的ではなく、前記請求項の請求される対象の範囲を制限するものでもない。
本発明は、例えば、以下を提供する。
（項目１）
少なくとも1つの光ダイオードを含む機器であって:
高利得トランスインピーダンスアンプ(TIA)および緩衝材がそれぞれの光ダイオード上に備えられたアナログアンプシステムを備え、複数のTIAの出力を組み合わせる完全な差動増幅器が続く機器。
;および
デジタル取得システムは、少なくとも1つのアナログ-デジタル変換器(ADC)を含み、中央プロセッサおよび基盤メモリに接続されたプログラム可能なプロセッサが続く機器。
（項目２）
前記項目のいずれの機器もまた、電子が納められる機械的ハウジングモジュールも含む機器。
（項目３）
プログラム可能なプロセッサが、データ取得アルゴリズム(長時間平均または中央値)を実施する前記項目それぞれの機器。
（項目４）
項目1の前記機器はまた、デジタルからアナログへの複数の変換器(DACs)をプログラム可能なプロセッサ上に含み、変換器は1つは、差動増幅器のオフセット調整、1つはADCの参照レベルを設定するためのフィードバックコントロールに使用される。
（項目５）
項目1の前記機器はまた、デジタルからアナログへの複数の変換器(DACs)をプログラム可能なプロセッサ上にも含み、変換器は1つは、差動増幅器のオフセット調整、1つはADCの参照レベルを設定するためのフィードバックコントロールに使用される。
（項目６）
項目1の前記機器はまた、少なくとも前記光検出器に光を送る1つの形成された反射器をも含む機器。
（項目７）
光信号検出の1つの方法。
（項目８）
光信号検出のための1つの機器。
（項目９）
前記項目いずれかの少なくとも1つの技術的特性を含む1つの方法。
（項目１０）
前記項目いずれかの少なくとも2つの技術的特性を含む1つの方法。
（項目１１）
前記項目いずれかの少なくとも1つの技術的特性を含む1つの機器。
（項目１２）
前記項目いずれかの少なくとも2つの技術的特性を含む1つの機器。
（項目１３）
前記項目いずれかの技術的特性の少なくとも1つを含む１つのシステム。
（項目１４）
前記項目いずれかの技術的特性の少なくとも２つを含む１つのシステム。
【０００６】
（参照による組み入れ）
本明細書で言及される全ての刊行物、特許、および特許出願は、あたかも、それぞれの刊行物、特許、および特許出願が、参照により組み込まれるために、具体的に、および個別に指示されるのと同程度に、参照によって本明細書に組み込まれる。しかしながら、本明細書開示内容と参照によって本明細書に組み込まれる内容が相反する場合には、本明細書の開示内容を優先する。
【０００７】
（著作権）
この文書は著作権保護の対象物質を含む。著作権者（本明細書においては、申請者）は、米国特許商標庁の特許ファイルまたは記録に現れるように、特許文書および開示のファクシミリ複製に異議を有しない。しかし、それ以外のすべての著作権は一切保有する。次の通知を適用しなければならない。:2013年〜2014年  著作権Theranos,Inc.
【図面の簡単な説明】
【０００８】
【図１】図1から3は、本明細書に記載される実施形態によるシステム回路図を示す。
【図２】図1から3は、本明細書に記載される実施形態によるシステム回路図を示す。
【図３】図1から3は、本明細書に記載される実施形態によるシステム回路図を示す。
【０００９】
【図４】図4から5は、本明細書に記載される実施形態によるシステム回路図を示す。
【図５】図4から5は、本明細書に記載される実施形態によるシステム回路図を示す。
【００１０】
【図６】図6は、本明細書に記載される少なくとも1つの実施形態による反射器を用いた1つの組立品の側面図を示す。
【００１１】
【図７】図7は、本明細書に記載される少なくとも1つの実施形態による反射器用いた1つの組立品の斜視図を示す。
【００１２】
【図８】図8は、本明細書に記載される実施形態による1つの回路図を示す。
【発明を実施するための形態】
【００１３】
（特定の実施形態の詳細）
請求されたように、前述の一般的な説明と以下の詳細な説明の両方が典型的で説明的なだけで、発明の拘束性でないことを理解すべきである。明細書と付加した請求項に用いられているように、単数の形「a」、「an」、「the」は前後関係が明確に規定されない限り、複数の指示物を含み得ることを注意する。つまり、例えば、「原料」への言及は原料の混合物を含み得る。「化合物」への言及は複数の化合物などを含み得る。本明細書で明白に示されている教えと衝突する場合を除き、この中の引用は完全に言及によって取り入れられる。
【００１４】
本明細書と以下の請求項において、言及は、以下の意味を持つよう定められる、いくつかの単語によって作られる：
【００１５】
「随意の」または「随意的に」は、その後の記述の事象が起こり得る、または起こり得ないという意味であり、そのために説明は、事象が起こる場合の事例と起こらない場合の事例を含む。例えば、機器が、サンプル収集ユニットのための特徴を随意的に含むならば、これは、サンプル収集ユニットは存在し得る、または存在し得ないことを意味する。そして、このように、説明は、機器がサンプル収集ユニットを所有する構造と、機器にサンプル収集ユニットが存在しない構造を含む。
【００１６】
本明細書において用いられる用語「十分な」は、最小限、またはわずかな量より多いことを意味し；そして「十分に」は最小限またはわずかよりも多いことを意味する。このように、例えば、本明細書で用いられるように、語句「十分に異なる」は、当業者が、２つの数値の間の差異を、その値により測定される特性の文脈内で、統計的に有意であると見なすことができるような、２つの数値の間に十分に高い程度の差異があることを意味する。従って、互いに十分に異なる２つの数値の間の差異は、参照値、またはコンパレータ値の関数として、一般的には約10％大きい、および約20％大きく、むしろ約30％大きく、むしろ約40％大きく、むしろ約50％大きいことがあり得る。
【００１７】
本明細書において使用される「サンプル」は、血液サンプル、または血液サンプルの一部であり得るが限定されず、適切なサイズまたは量であり得て、望ましくは小さなサイズか少量である。.本明細書において開示される検定および方法のいくつかの実施形態では、測定は少量の血液サンプル、または血液サンプルのごく少量が使用され得る。ここでは少量はたかだか約５ｍＬを含み；またはたかだか約３ｍＬを含み；またはたかだか約２ｍＬを含み；またはたかだか約１ｍＬを含み；またはたかだか約５００μＬを含み；またはたかだか約２５０μＬを含み；またはたかだか約１００μＬを含み；またはたかだか約７５μＬを含み；またはたかだか約５０μＬを含み；またはたかだか約３５μＬを含み；またはたかだか約２５μＬを含み；またはたかだか約２０μＬを含み；またはたかだか約１５μＬを含み；またはたかだか約１０μＬを含み；またはたかだか約８μＬを含み；またはたかだか約６μＬを含み；またはたかだか約５μＬを含み；またはたかだか約４μＬを含み；またはたかだか約３μＬを含み；またはたかだか約２μＬを含み；またはたかだか約１μＬを含み；またはたかだか約０．８μＬを含み；またはたかだか約０．５μＬを含み；またはたかだか約０．３μＬを含み；またはたかだか約０．２μＬを含み；またはたかだか約０．１μＬを含み；またはたかだか約０．０５μＬを含み；またはたかだか約０．０１μＬを含む。
【００１８】
本明細書で使用される用語「ポイント・サービスの位置」は、被験者がサービス（例えば検査、監視、治療、診断、ガイダンス、サンプル収集、ＩＤ確認、医療サービス、非医療サービス等）を受けることのできる場所を含むことができ、および、制限なく、被験者の自宅、被験者の勤務先、ヘルスケア提供者（例えば、医師）の場所、病院、緊急治療室、手術室、診療所、ヘルスケア専門家の執務室、臨床検査室、小売店［例えば薬局（例えば、小売り薬局、臨床薬局、病院薬局）、ドラッグストア、スーパーマーケット、食品雑貨店、等］、運搬用車両（例えば自家用車、ボート、トラック、バス、航空機、バイク、救急自動車、移動ユニット、消防車／トラック、救命救急車、司法遂行車両、警察車両、又は前記被験者を一点から他へ移動するよう設定されている車両等）、移動医療ケアユニット、可動ユニット、学校、デイケアセンター、手荷物検査場、戦場、健康支援生活住居、政府のオフィス、オフィスビルディング、テント、体液サンプル取得施設（例えば血液収集センター）、被験者がアクセスを望み得る位置の入り口の場所またはその近くの場所、被験者がアクセスを望み得る機器上またはその近くの場所、被験者がアクセスを望み得る場所またはその近くの場所（例えば、被験者がコンピュータにアクセスしたい場合には、そのコンピュータの位置）、サンプル処理機器がサンプルを受け取る位置、または本明細書の別の場所に記載される任意の他のポイント・オブ・サービス位置を含み得る。
【００１９】
現在、図１を参照すると、化学発光サンプル10と比較して、光ダイオード（PD）位置の１つの制限しない実施例が示されている。前記矢20は光子の放射の方向を示す。１つの制限しない実施例では、前記光ダイオード30と40は零バイアスモードで操作され−これは、唯一の雑音源が熱雑音であることを保証する。それらは前記化学発光サンプルの可能な限り近くに位置し、放射された光を可能な限り収集する。更に、光ダイオードの組はサンプルの同じまた反対側にあり、光の対称形の収集を確実にする。.図１は２つの光ダイオードの位置を示し、またデザインは複数の光ダイオードまで容易に広げられる。
【００２０】
１つの制限しない実施例では、各々の光ダイオードの出力は、光の入射量に比例した電流である。放射が一定時間に一定量であるサンプルのために、これはDC電流を引き起こす。制限しない例として、以下の特性をもつシリコン光ダイオードが光ダイオード30と40に使用される：広い活動域、低い雑音同等力、高い感受性（％量子効率または感度A/Wにおいて）。
アナログアンプシステム
【００２１】
現在、図２を参照すると、光ダイオード30および40に結合するのに最適なアナログアンプシステムがこれから説明される。制限しない例として、本実施例のアナログアンプシステムは、図２に示される３つのステージから構成される。点線は、複数の光ダイオードを含むためのアンプの可能なかぎりの拡大を示唆する。
【００２２】
この制限しない実施例では、１つのステージは、1010V/Aもしくはそれ以上の増加のある、高い増加トランスインピーダンスアンプ（TIA）である。前記システムの各々の光ダイオードは、入力が光ダイオードからのDC信号電流であるTIAに連結する。TIAの出力はDC電圧である。
【００２３】
この制限しない実施例では、１つのステージは前記トランスインピーダンスアンプの後の緩衝材であり、最初のステージを後のステージから分離する。
【００２４】
.この制限しない実施例では、１つのステージは、差動増幅器（DA）ステージであり、複数のトランスインピーダンスアンプからの出力を結合する。前記差動増幅器は、(Vout+-Vout-)=A(Vin+-Vin-),でAが増加であるような、正と負の出力から構成される。この増加は、テスト中に特定のサンプルのために出力を最大にするように、調整可能でデジタル取得システムによって制御される。
【００２５】
.一組の光ダイオードのための前記アナログアンプシステムは、図２に示される。１つ、または複数組の光ダイオードは、反対方向に連結される。このように差(Vout+-Vout-)が２つの光ダイオードのために測定されるとき、Vout-の視覚の信号要素は常にVout+のそれと180度同調せず、信号は最大２倍になる。.他の共通のサイン（60Hzピックアップ、DCドリフトなど）の全ては、異なる経路に沿って同位相で、従って、前記差を測定するとき相殺される。２つの光ダイオードの場合、雑音は直交に加わり、各経路に1.4倍の雑音を与える。
【００２６】
.さらにまた、アナログアンプの各ステージは、更なる雑音除去のための低い通過フィルタを随意的に含み得る。
デジタル取得システム
【００２７】
現在、図３の実施形態を参照すると、完全な光ダイオード検出器システムの１つの制限しない実施例が説明される。図３の概略図は、アナログとデジタルシステムの間の構成要素と結合を示す。前記アナログシステムに関してのデジタル取得システムは、図３に示される。この制限しない実施例では、前記アナログアンプシステムの出力(Vout+and Vout-)は、前記デジタル取得システムに繰り入れられ、以下を含む：
【００２８】
高い見本抽出率（＞IMSPS）と高い精度（＞16ビット）を持つ、差分型アナログ−デジタル変換器（ADC）。前記ADCの出力は、前記差(Vout+-Vout-).を意味するデジタル信号である。
【００２９】
デジタルプロセッサは前記ADCから定間隔でデータを収集し、デジタルに出力を処理するアルゴリズムを実行する。制限しない実施例として、前記サンプルは、収集されたデータで以下の１つ以上のデジタル信号処理をすることで処理され得る：平滑化処理、付加的平滑化、サビツキー・ゴレイ平滑化、移動平均平滑化、場所後退平滑化、バタワース濾過、カルマン濾過、ケーネル平滑化、ラプラシアン平滑化、伸縮グリッド法平滑化、低域濾過、再帰型フィルター中点、長時間平均、前述の１つまたは複数の組合せ、または雑音除去のための他のデジタル処理技術。この後半の過程は関心の前記信号のDCレベルを測定し、さらに雑音レベルを低減させる。ARM、テキサスインスツルメンツなどから入手可能なデジタルプロセッサは、本明細書の使用のために構成される。
【００３０】
前記デジタルプロセッサはまた、デジタル−アナログ変換機（DAC）を含み得る。そして、前記DA出力を相殺するどんなDCレベルでも補填するのにその中のひとつは使用される。（例えばアンプドリフトや漏洩電流のような自然な過程のために）第二のDACは前記ADCの範囲の調節に使用される。.前記ARMはまた前記DAステージの増加をコントロールする。これらの３つのフィードバックコントロールは、テストされる特定のサンプルのために、ダイナミックレンジと測定の精密さを最大限にする。
【００３１】
最後に、前記デジタルプロセッサは随意的に前記測定されたDC信号を同等の光子数に変換する。
機械式ハウジングモジュール
【００３２】
上記の電子機器が含まれる機械式ハウジングモジュールは、以下の必須条件で設計される：
【００３３】
.寄生的な容量性と帰納的な混線を防ぐために、複数の回路（および副回路）は、地上面によって互いに分離される。
【００３４】
前記の完全なシステムは、ハウジングモジュールが地上の伝導性の素材（例えばアルミニウム）からハウジングが作られるため、環境から分離される。これは、60Hzと他の電磁干渉のような環境からのピックアップを最小限にする。
コントロールシステム
【００３５】
前記光ダイオードから信号を集める、図２のアナログキャプチャーシステムの１つの実施例では、差動増幅器がある。この制限しない実施例では、アナログフロントエンドを提供する、フロントエンド光ダイオードがある。弱い光で光子を検出することは（1秒間に1000光子）、通常の光（光子のビロン）に対して水平になる。前記信号は非常に小さく、前記雑音レベルを超えるために増幅される。PMTには内蔵増加システムがあり、雑音なしで信号を増幅することができる。それは１つの光子計数器だが、製造は難しく、容易に浸透する。
【００３６】
１つの実施例では、フェムトワットレベルの感度光学検出器は、少なくとも１つの光ダイオードを使用して提供される。それは、PMT−レベル感度を提供するように構成され得る。１つの実施例では、図１で見られるように、少なくとも２つの光ダイオード検出器は、前記サンプルからの信号を検出するのに使用される。コントロール回路は、前記信号を差分型式で結合するのに使用される。１つの方式では、全ての信号を取り出すために前記信号を加える。１つの信号が正の信号で、もう１つの信号が負の信号のとき、差分型モードを使用するのがもう１つの方法で、また、追加の代わりに、前記負の信号をばらまくためそれらは削減される。なぜならば、雑音は正か負かは関係ないので、前記雑音外で信号がマイナスに結合されるとき（しかし追加されない）、現在の実施例は削減機能を使用できる。２、４、６、また他の数の組合せは、前記コントロールにおいて結合され得る。多くの光ダイオードは図１の前記実施例に加えられ、図２のアナログシステムによって信号キャプチャーのために支えられ得る。これは前記PMTより多くの光を集めることができ、より多くの光が集められるので、理論的には、より感度の高い化学作用に行くことができる。
【００３７】
本明細書の実施例はまた、その出力（ボルトで）をPMTサンプル機器（光子数の出力）に相関することができる。光ダイオードは10倍以上の光を検出するが、PMYタイプの出力と相関するよう構成され得る。
【００３８】
PMTが1/2秒で500000光子浸透することを理解すべきである。（200から200000）前記光ダイオードは1/2秒で200万測定できる。これはより多くの寛容性を状況に提供する。
【００３９】
図４で見られるように、前記システムの１つの実施例は、前記サンプル付近の複数の場所から光を収集するために、そして、図３で示される前記デジタル部分でデジタル的に処理される前記アナログ信号を準備するために、図２のそれと近い、アナログフロントエンドを持つ制御盤に検出された信号を検出するために、高い増加光ダイオードの多数を使用する。いくつかの実施例は、多くの方向の前記サンプルからの光をキャプチャーするために、多くの複数の光ダイオードの位置の球状または他の形状を想像できる。
【００４０】
図４に見られるように、前記制御盤の１つの実施例は、合計として、または差分型的に光ダイオード信号を結合できる。両方のケースでは、雑音が直交に加わる。例えば、２つの光ダイオードが使用されるとき、N1とN2の雑音とともに。そして合計の雑音は：
【数１】
2019082494.tif 000002
【００４１】
一方では信号は直線的に加わる；であるから、前記２つの光ダイオードのケースでは、合計信号はS1+S2である。差分型モードは一般の不必要な信号の除去を可能にする；いくつかは、交流の両極性（陰極、陽極）を持つ光ダイオードを持ち得る。
反射器システム
【００４２】
一般的に電子工学が雑音を加えることを理解すべきである。このように、光の取り込みを増やす間、より多くの光ダイオードを加えることは、雑音レベルを有害に増やすことも可能である。１つの選択肢は、電子工学を最小にするが、どのセンサーでも集めた光の量を増やすことである。１つの選択肢は、光ダイオードをサンプルの近くに移動することである。いくつかは、前述の両方を混合し得る。
【００４３】
図５で見られるように、非真空管フェムトワット検出器の更なる実施例を説明する。この実施例では、前記反射器は、光の取り込みを増やすために専用に設計される。いくつかの実施例は、前記反射器の領域までサンプル先端が下ろされるため、１つもしくはそれ以上の穴を持ち得る。いくつかの光は前記サンプルを通り抜ける（そしてそれは前記サンプルを刺激しない）。これは非球面反射器であり得た。反射は、アルミニウムまたは、吸収度のない全ての波長反射のための他の反射素材であり得る。
【００４４】
図５は、この実施例が、高い増加光ダイオードに達しない光を取り込み、そしてそれを１つもしくはそれ以上の光ダイオードに向け直すということを示す。いくつかの実施例は半球状の反射器、皿状の検知器、曲線状の検知器などを使用し得る。随意のレンズ116は、放射及び反射光を集めるために置かれ得る。
【００４５】
力がより大きな地域に広げられるならば、発光はより小さくなると理解するべきである。特定のタイプのセンサーのために、最小限のターンオン閾値を超えるか、閾値発光に到達するかするよう光に焦点を合わせる、レンズ116はいくつかの利点があり得る。随意的に、CCDセンサーのために、光はあまりに多くのピクセルに広げられる。それから、もしそれがピクセルごとの光に打ち勝たないならば、それはターンオンを助け得る。CCDタイプの出願は、どれだけの光が前記サンプルの各々の場所からきているのか決定するのに役立ち得る。１つの実施例では、これはCCD使用を通して、このシステムを画像機器に変える。
【００４６】
.図６は、前記光ダイオードのまわりであるが、おそらく前記反射器110の一部でない壁面100もまた、反射されるように構成され得ることを示す。図６はまた、様々な理由で、いくつかの実施例が前記光ダイオード上に透明カバー120を持ち得ることを示す。１つの実施例では、前記透明カバー120は電気的に絶縁している。１つの実施例では、前記透明カバー120は電気的に伝導性がある。随意的に、前記サンプルが位置へ移動する間に、前記光ダイオードのスイッチを切ることが可能だった。一旦サンプルが置かれれば、前記光ダイオードは測定のためにスイッチが入る。これには、原則我々は読み込みごとに前記機器を置き直すので、前記エレクトロニクスはドリフトし過ぎず、また寄生的な光源からの影響を受けないという、追加の強みがある。図5と6の中で光ダイオードはただ１つだけ示されるが、収集効率を最大限にするために、複数の光ダイオードを置くことができたと理解すべきである。
【００４７】
図７は、反射器100でのシステムの１つの実施例の透視図を示す。図７は、この制限しない実施例では、穴112が、サンプルが分析のために低い位置になり得ることを示す。第二の穴114もまた、サンプル液体が滴り、前記反射器110内に集まらない場所に位置することができる。随意的に、光の取り込み量を増やすために、前記穴112および／または114を覆う蓋があり得る。サンプル読み込みのために、全ての前記反射器110が離れる実施例もあり得る。.随意的に、ホルダーは前記110に内蔵されることが可能なので前記サンプル取り扱いシステムは検知の間、前記サンプル10を保持しない。
デュアル  蛍光光度計
【００４８】
現在、図８を参照すると、いくつかの実施例は、蛍光光度計と光度計機能両方をもつ前記システムを結合し得ることを理解すべきである。制限しない実施例では、LEDまたはレーザーは前記サンプルの刺激に使用することが可能である。いくつかの実施例は、励起光源を加え、従って反射器を使用しない。光学バリア130は表面滲みの削減に使用される。制限しない実施例では、立方体の形の容器140は散在／表面滲みの削減に使用され得る。もしくは、円錐台型の先端部容器。
【００４９】
１つ以上の機器を読み込む１つ以上の制御盤を持つことが可能であったと理解すべきである。図２と３以後、特徴集合を持つ、図８の上記制御盤は、異なるモードで複数の光ダイオードを読み込む能力を持つよう設計されている。同時に動くとき、前記制御盤は異なる光ダイオードからの信号を結合できる。これは、上記で述べたように、合計、または差分型のモードで実行できる。個々に動くとき、前記制御盤は選ばれた光ダイオードからの信号を読み込むことができる。随意的に、これらのケースの組合せで、我々は光ダイオードのいくつかを選択的に読み込むことができ、それらの信号を結合することができる。−例えば、同時に４つの光ダイオード中、３つを読み込むことができ、４つ目を無視することができる。この柔軟性は、前記制御盤に、前記蛍光光度計とひとつの制御盤を持つ光度計両方をコントロールすることを可能にする。
【００５０】
前記蛍光光度計は、血球計算のためのダイナミックな希釈測定に使用されることができる。−これは現在では分光計でやるが、前記蛍光光度計はより繊細な選択肢を提供できる。また、血球計算器と全く同じ能力ではないが、血球計算の追加機能の潜在的な選択肢もある。
【００５１】
EMIへのエレクトロニクスの高感度のために、全てのエレクトロニクスは接地している金具ハウジングに置かれる必要がある。さらにまた、ハウジングの壁の厚さは、低周波(60Hz)、高周波(kHzからMHz)両方をブロックするように設計される。
システム
【００５２】
実施例では、フェムワット感度光ダイオード組立品から構成される機器、そしてそのような機器から構成される、または使用するシステムおよび方法は、制御装置から構成され得る。実施例では、制御装置はプロセッサから構成され得る。実施例では、制御装置は接続され得る、および機器の作動または部品を制御し得る；そのような部品は通常、機器のハウジング内で配列される。実施例では、制御装置は、フェムワット感度光ダイオード組立品の作動を制御し得る。実施例では、制御装置は、サンプル取り扱いシステムの作動を制御し得る。実施例では、制御装置は検出器の作動を制御し得る。実施例では、制御装置は前記機器のどの部品またはユニットの作動も制御し得る。他の部品を含まれ得る。例えば、カメラ、化学検定ユニット、核酸検定ユニット、暖房ユニット、通信ユニット、たんぱく質化学ユニット、または他の部品かユニット。実施例では、制御装置はプロトコルに従って、機器のひとつまたはそれ以上の作動を制御し得る。実施例では、制御装置が機器のひとつまたはそれ以上のどんな部品またはユニットの作動も制御するプロトコルは、予めプログラムされ得る。実施例では、制御装置が機器のひとつまたはそれ以上のどんな部品またはユニットの作動も制御するプロトコルは、他の機器から、またはユーザーから、またネットワークから、またクラウドから手に入り得る。実施例では、制御装置が機器のひとつまたはそれ以上のどんな部品またはユニットの作動も制御するプロトコルは、他の機器、またはユーザー、検査室、ネットワーク、クラウドからの情報または指示に従って、更新され得る、または更新可能であり得る。実施例では、機器は通信組立品を通して、情報、指示、更新、またはプロトコルを受信し得る。前記システムは、１つの実施例では、感度の４つのレベルで視覚検出器を持つことができ、最小の感度は前記分光計である。次が血球計算器である。核酸は血球計算器より感度が高い。そして前記PMTが最も感度が高い（次に最も感度が高いセンサーよりも３、４桁感度が高い）。
【００５３】
実施例では、フェムワット感度光ダイオード組立品から構成される機器、そしてそのような機器から構成される、または使用するシステムおよび方法は、機器の作動に関する情報、または、機器で実行される検定の進捗に関する情報、または、機器で実行される検定の結果に関する情報をユーザーに提供するために、効果的な表示から構成され得る。実施例では、表示は視覚表示から構成され得る。または印刷表示から構成され得る。または、ユーザーによるスピーチのような理解可能な音声信号を含む、音声表示から構成され得る。または、このような表示の組合せまたは全てから構成され得る。実施例では、表示はユーザーインターフェースから構成され得る。実施例では、ユーザーインターフェースから構成され得る表示では、機器は例えば、情報、コマンド、プロトコル、または他の入力を受信し得る。
【００５４】
実施例では、フェムワット感度光ダイオード組立品から構成される機器、そしてそのような機器から構成される、または使用するシステムおよび方法は、１人、またはそれ以上のユーザー、他の機器、検査室、ネットワーク、クラウド、または他の通信対象との通信に効果的な通信組立品から構成され得る。実施例では、通信組立品は通信対象に、機器の作動に関する情報、または、機器で実行される検定の進捗に関する情報、または、機器で実行される検定の結果に関する情報を提供し得る。実施例では、通信組立品は、機器が例えば、ユーザー、他の機器、検査室、ネットワーク、クラウド外部の情報、または他の通信源といった、外部ソースからの情報、コマンド、プロトコル、または他の入力を受信させるよう構成され得る。
【００５５】
本明細書で使用される用語「サンプル取り扱いシステム」、「流体取り扱いシステム」と文法的に同じものは、流体を取得し、輸送し、届けるよう構成されたシステムを意味する。.本明細書で開示される実施例では、そのようなシステムは、ピペット、ノズル、ピペットチップ、そしてピペット、ノズル、またはピペットチップを希望の場所へ動かすよう構成された機械部品を含む。そのような希望の場所は通常機器のハウジング内である。.実施例では、ピペットチップはノズルに内蔵され得る；実施例では、ピペットチップは取り外し可能でノズルに内蔵され得る。それはノズルに最初のピペットチップをかみ合わせ内蔵、前記最初のピペットチップを使用、前記最初のピペットチップを処分、そして第二のピペットチップをかみ合わせ内蔵するということをできるようにするためである。そのようなシステムは、ピペットチップに液体を吸引する方法を含む。そのようなシステムは、ピペットチップから液体を投与する方法を含む。そのようなシステムの実施例では、ピペットとノズルはピペットチップ以外の要素をかみ合わせ内蔵し得る；例えば、本明細書で開示される実施例では、ピペットとノズルは、容器の相手側ソケットとかみ合わせ、つながり得る。（図10と11を参照）.実施例では、容器の相手側ソケットとつながっているピペットとノズルは、機器内の希望の場所へ前記容器を輸送するのに使用され得る。実施例では、容器の相手側ソケットとつながっているピペットとノズルは、容器に力を適用するのに使用され得る。（図11、そのような力の適用が有益であり得る構成を参照）
【００５６】
本明細書で開示される前記方法は、機器内でのサンプル処理、またはサンプル処理システムのために容易に合体され、使用されることができる。そしてそれは、自動検定機器、または自動検定システムであり得る。.そのような検定機器および検定システムは開示される機器とシステムを含み得る。例えば、2013年2月18日に出願された、米国特許第8、008、593号；米国特許第8、380、541号；米国特許第13/769、798号；2013年2月18日に出願された、米国特許第13/769、779号；2011年9月26日に出願された、米国特許第13/244、947号；2012年9月25日に出願された、PCT/米国2012/57155号；2011年9月26日に出願された、米国特許第13/244、946号；2011年9月26日に出願された、米国特許第13/249、949号；2011年9月26日に出願された、米国特許第61/673、245号、特許と特許出願の発表は全て本明細書に全体の参照によって取り入れられている。
【００５７】
そのような機器、およびそのようなシステムは、本明細書で開示される方法を実行するのに有効であり得る。例えば、機器はサンプルを受けるのに有効であり得る。機器はサンプルを準備する、または処理するのに有効であり得る。機器はサンプルで検定を実行するのに有効であり得る。機器はサンプルからのデータを取得するのに有効であり得る。機器はサンプルから取得したデータを伝達するのに有効であり得る。機器はサンプルの処理または検定後にサンプルを処分するのに有効であり得る。
【００５８】
機器はシステムの一部であり得る。そしてその部品はサンプル処理機器であり得る。機器はサンプル処理機器であり得る。サンプル処理機器は、本明細書で開示されるように、サンプルの収集を容易にする、臨床試験のためにサンプルを準備する、または１つまたはそれ以上の試薬、または他の化学的または物理的処理の科学的反応をもたらすということから構成され得る。サンプル処理機器は、サンプルからデータを取得するよう構成され得る。サンプル処理機器は、サンプルから取得したデータを伝達するよう構成され得る。サンプル処理機器は、サンプルからのデータを分析するよう構成され得る。.サンプル処理機器は、サンプルから取得したデータを分析するために、他の機器、または検査室、または検査室に属する個人と通信するよう構成され得る。
【００５９】
サンプル処理機器は、対象物内、または上に設置されるよう構成され得る。サンプル処理機器は、直接または間接的に、対象物からサンプルを受け入れるよう構成され得る。サンプルは例えば以下であり得る。生物学的サンプルは、例えば、血液、尿、唾液、鼻腔用、咽頭用、頬用麺棒から採取された物質、またはその他のサンプル（例えば、フィンガースティックから、または静脈穿刺から、または動脈の生物学的サンプル、例えば、血液、尿、唾液、鼻腔用、咽頭用、頬用麺棒から採取された物質、またはその他のサンプル）、尿サンプル、生検サンプル、組織切片、便サンプル、または他の生物学的サンプル；水サンプル、土壌サンプル、食品サンプル、空気サンプル；または他のサンプル。生物学的サンプル、例えば、血液、尿、唾液、鼻腔用、咽頭用、頬用麺棒から採取された物質、またはその他のサンプルは、例えば、全血、血清、または血漿を含み得る。サンプル処理機器は前記機器のハウジングを通して、対象物からサンプルを受け取り得る。前記サンプル収集は、サンプル収集サイト、またはどこか他で起こり得る。前記サンプルは、サンプル収集サイトで前記機器に供給され得る。
【００６０】
.いくつかの実施例では、サンプル処理機器は、カートリッジを受け付ける、または保持するよう構成され得る。いくつかの実施例では、サンプル処理危機はカートリッジを含み得る。前記カートリッジは、前記サンプル処理機器から取り外し可能であり得る。いくつかの実施例では、サンプルは前記サンプル処理機器の前記カートリッジに供給され得る。あるいは、サンプルは、サンプル処理機器の別の部分に提供され得る。.前記カートリッジおよび／または機器は、サンプルを受け付けるよう構成され得る、サンプル収集ユニットを含み得る。
【００６１】
カートリッジはサンプルを含み得る。そして、処理または試験サンプルで使用する試薬、処理または試験サンプルで使用する使い捨て器具、または他の素材を含み得る。サンプル処理機器、１つまたはそれ以上の前記カートリッジの部品へのカートリッジの設置、またはカートリッジの挿入は、前記サンプル処理機器の他の部品に流動性の伝達を運び得る。例えば、もしサンプルがカートリッジで収集される場合、前記サンプルは、前記サンプル処理機器の他の部分へ移動し得る。同様に、もし１つまたはそれ以上の試薬がカートリッジ上で提供される場合、前記試薬は、前記サンプル処理機器の他の部分へ移動し得るか、前記サンプル処理機器の他の部分が、前記試薬に運ばれ得る。いくつかの実施例では、前記試薬またはカートリッジの部品は、カートリッジ内蔵のままであり得る。いくつかの実施例では、流体工学は、その必須の管、または必須のメンテナンス（例えば、手動または自動のメンテナンス）を含まない。
【００６２】
サンプルまたは試薬は、サンプル処理機器にような機器に移動し得る。サンプルまたは試薬は、機器内に移動し得る。そのようなサンプルまたは試薬の移動は、カートリッジから機器への連続した流動性の経路を提供することなく達成し得る。そのようなサンプルまたは試薬の移動は、機器内の連続した流動性の経路を提供することなく達成し得る。実施例では、そのようなサンプルまたは試薬の移動は、サンプル取り扱いシステム（例えば、ピペット）によって達成し得る。；例えば、サンプル、試薬、またはその一定量、ピペットチップのような先端の開いた部品に吸引され得る。そしてそれは、ある場所、または前記サンプル処理機器内で、前記先端内に含まれる前記サンプル、試薬、またはその一定量と一緒に、前記先端を動かす、サンプル取り扱いシステムに操作可能に連結され得る。前記サンプル、試薬、またはその一定量は、ある場所、または前記サンプル処理機器内に置くことができる。サンプルと試薬、または複数の試薬は、同様の方法でサンプル取り扱いシステムを使い、調合され得る。前記カートリッジの、１つまたはそれ以上の部品は、自動的に、前記サンプル処理機器の他の部分に移動し得る。逆も然り。
【００６３】
サンプル処理機器のような機器は、流体取り扱いシステム（本明細書ではサンプル取り扱いシステムとも呼ばれる）を持ち得る。流体取り扱いシステムは、サンプルのような流体に対しての実行、輸送、希釈、抽出、分割、他の行為を実行、またはそれを助け得る。いくつかの実施例では、流体取り扱いシステムは、機器ハウジング内に含まれ得る。流体取り扱いシステムは、流体の収集、配達、処理および／または輸送、乾燥した試薬の分解、液体および／または液体と乾燥した試薬の調合を、非流体の部品、サンプル、または素材の収集、配達、処理および／または輸送と同じように、許可し得る。前記流体は、サンプル、試薬、希釈剤、洗剤、染料、または前記機器に使用され得る他の流体であり得る。そしてそれは、同種の流体、異なる液体、乳剤、懸濁液、および他の流体を含み、限定しない。.限定なしにピペットを含む流体取り扱いシステムはまた、前記機器周辺の容器を（その中の流体の有無に関わらず）輸送するのに使用され得る。前記流体取り扱いシステムは、流体を分配、または吸引し得る。前記サンプルは、流体内で浮いている、１つまたはそれ以上の微粒子または固形物質を含み得る。
【００６４】
実施例では、流体取り扱いシステムは、ピペット、ピペットチップ、注射器、キャピラリ、または他の部品を含み得る。.前記流体取り扱いシステムは、内面と外面と始まりと終わりの部分を含み得る。前記流体取り扱いシステムは、ピペット本体とピペットノズルを含み得るピペットを含み得る。そしてピペットチップを含み得る。ピペットチップは、ピペットノズルから取り外しが可能でも、不可能でもあり得る。実施例では、液体取り扱いシステムは、ピペットチップと組になるピペットを使用し得る；ピペットチップは使い捨て可能であり得る。チップはピペットと組になる場合、流体密充填材を形成し得る。ピペットチップは１度、２度、またはそれ以上使用され得る。実施例では、流体取り扱いシステムは、流体の吸引、分配、調合、輸送、さもなければ取り扱うために、ピペットチップのある、またはない、ピペットまたはより小さい機器を使用し得る。前記流体は、前記流体取り扱いシステムから必要に応じて分配され得る。前記流体は、分割される前に、ピペットチップ内に含まれ得る。例えば、前記ピペットチップの開口部から。実施例、または使用中の例では、前記流体の全ては分割され得る；他の実施例、または使用中の例では、先端内の前記流体の一部が分割され得る。ピペットは流体を選択的に吸引し得る。前記ピペットは選択した流体の量を吸引し得る。前記ピペットは、先端の中または容器の中で前記流体を混ぜるために攪拌システムを作動させることが出来得る。前記ピペットは、非液体形状の中の素材または試薬を含む、混合のための連続流動ループを作る、先端、または容器を取り入れ得る。ピペットチップはまた、２部品基質反応内のような、連鎖の中、または同時に、複数の流体の計量された配達によって、容易に混合し得る。
【００６５】
流体取り扱いシステムは、１つまたはそれ以上の流体的に分離した、または水圧で独立したユニットでを含み得る。例えば、前記流体取り扱いシステムは、１つ、２つ、またはそれ以上のピペットチップを含み得る。前記ピペットチップは、流体を受け入れて制限するよう構成され得る。前記チップは流体的に分離されるか、お互いに水圧で独立し得る。各々のチップ内に含まれる前記流体は、前記機器内の他の流体から、および他のチップ内の流体から、流体的に分離されるか、水圧で独立し得る。流体的に分離された、または水圧で独立した前記ユニットは、前記機器の他の部分および／または互いに関連して動かせ得る。流体的に分離された、または水圧で独立した前記ユニットは、個々に動かせ得る。流体取り扱いシステムは、１つまたはそれ以上の基盤または支えを含み得る。A基盤または支えは、１つまたはそれ以上のピペットまたはピペットユニットを支え得る。基盤または支えは、前記流体取り扱いシステムの１つまたはそれ以上のピペットと互いに結合し得る。
【００６６】
サンプル処理機器は、対象から取得したサンプル上で、ステップまたは行為を処理するよう構成され得る。サンプル処理機器は、例えばサンプル希釈、サンプルの一定量への分割、抽出、試薬との接触、濾過、分離、遠心分離、または他の準備または処理の行為またはステップを含む、サンプル調製を含み得る。サンプル処理機器は、前記サンプル上での、１つまたはそれ以上のサンプル調製行為またはステップを実行することから構成され得る。随意的に、サンプルは化学的反応および／または物理的処理ステップのために調製され得る。サンプル調製行為またはステップは、以下の１つまたはそれ以上を含み得る；遠心分離、分離、濾過、希釈、濃縮、精製、沈殿、孵化、ピペットでの採取、輸送、色層分析、細胞溶解、血球計算、粉砕、摩擦、活性化、超音波処理、ミクロコラム処理、磁気ビーズでの処理、ナノ粒子での処理、または他のサンプル調製行為またはステップ。例えば、サンプル調製は、血液を血清および／または微粒子部分に分離するため、または、他のサンプルを様々な構成要素に分けるため、１つまたはそれ以上のステップを含み得る。.サンプル調製は、例えば、血液、尿、唾液、鼻腔用、咽頭用、頬用麺棒から採取された物質、またはその他のサンプル、または他の生物学的サンプルといった、生物学歴サンプルのような、サンプルを希釈および／または濃縮するため、１つまたはそれ以上のステップを含み得る。サンプル調製は、抗凝固剤または他の成分をサンプルに加えることを含み得る。サンプル調製はまたサンプルの精製を含み得る。実施例では、全てのサンプル処理、調整、または検定の行為またはステップは１つの機器によって実行される。実施例では、全てのサンプル処理、調整、または検定の行為またはステップは１つの機器のハウジング内で実行される。.実施例では、大半のサンプル処理、調整、検定の行為またはステップは、１つの機器によって実行され、１つの機器のハウジング内で実行され得る。実施例では、多くのサンプル処理、調整、検定の行為またはステップは、１つの機器によって実行され、１つの機器のハウジング内で実行され得る。実施例では、多くのサンプル処理、調整、検定の行為またはステップは、１つ以上の機器によって実行され得る。
【００６７】
サンプル処理機器は、サンプル上で、１つまたはそれ以上の検定を行うため、前期サンプルからデータを取得するために構成され得る。検定は、１つまたはそれ以上の物理的または化学的処置を含み得る。そして１つまたはそれ以上の化学的また物理的反応を含み得る。サンプル処理機器は、身体の液体部分の小さなサンプル上で、１つまたはそれ以上の検定の実行するよう構成され得る。本明細書のどこかで説明されるように、容積のあるサンプル上で１つまたはそれ以上の化学的反応が起こり得る。例えば、１つまたはそれ以上の化学的反応は、フェムトリットル量より少ない錠剤内で起こり得る。一例では、前記サンプル収集ユニットは、血液または組織液の一滴またはそれ未満と同等の身体の液体部分の量を受け取るよう構成され得る。実施例では、前記サンプルの量は少ないことがあり得る。その少ない量は、約1000μL以下、または約500μL以下、または約250以下、または約150μL以下、または約100μL以下、または約75μL以下、または約50μL以下、または約40μL以下、または約20μL以下、または約10μL以下、または他の少ない量であり得る。実施例では、全てのサンプル検定行為またはステップは、ひとつのサンプル上で実行される。実施例では、全てのサンプル検定行為またはステップは、ひとつの機器によって実行される。.実施例では、全てのサンプル検定行為またはステップはひとつの機器のハウジング内で実行される。I.実施例では、大半のサンプル検定行為またはステップは、ひとつの機器によって実行され、ひとつの機器のハウジング内で実行され得る。実施例では、多くのサンプル検定行為またはステップは、ひとつの機器によって実行され、ひとつの機器のハウジング内で実行され得る。実施例では、サンプル処理、調製、検定行為またはステップは、１つ以上の機器によって実行され得る。
【００６８】
サンプル処理機器は、サンプル上で検定の大多数を実行するよう構成され得る。例えば、サンプル処理機器は、サンプル内で、病原体を識別する材料を検出、または識別、または測定するために構成され得る。実施例では、サンプル処理機器は、ひとつのサンプル上で、大多数の検定を実行するよう構成され得る。実施例では、サンプル処理機器は、ひとつの生物学的サンプル上で、大多数の検定を実行するよう構成され得る。それは前記生物学的サンプルが小さいサンプルである場合である。例えば、小さいサンプルの量は、約1000μL以下、または約500μL以下、または約250以下、または約150μL以下、または約100μL以下、または約75μL以下、または約50μL以下、または約40μL以下、または約20μL以下、または約10μL以下、または他の小さな量であり得る。サンプル処理機器は、ひとつのサンプル上で、複数の検定の実行が可能であり得る。大多数の検定は、同時に実行され得る；順番に実行され得る；またはいくつかの検定は、他が順番に実行される間に、同時に実行され得る。１つまたはそれ以上の制御検定および／またはキャリブレータ（例えば、前記検定／試験のためのキャリブレータの制御との構成を含む）はまた、前記機器内に取り込まれることが可能である；キャリブレータ上の制御検定と検定は、サンプル上で実行される検定と同時に実行され得るか、サンプル上で実行される検定の前か後に実行され得るか、またはその組合せで実行され得る。実施例では、全てのサンプル検定行為またはステップは、１つの機器によって実行される。実施例では、検定行為またはステップの大多数の全ては、１つの機器のハウジング内で実行される。実施例では、たいていのサンプル検定行為またはステップは、１つの機器のハウジング内で実行される。実施例では、検定の大多数の、多くのサンプル検定行為またはステップは、１つの機器によって実行され、１つの機器のハウジング内で実行され得る。実施例では、サンプル処理、調製、または検定行為またはステップは１つ以上の機器によって実行され得る。
【００６９】
実施例では、検定の大多数の全ては、短時間で実行され得る。実施例では、そのような短時間は、約３時間以下、または約２時間以下、または約１時間以下、または約40分以下、または約30分以下、または約25分以下、または約20分以下、または約15分以下、または約10分以下、または約5分以下、または約4分以下、または約3分以下、または約2分以下、または約１分以下、または他の短時間を含む。
【００７０】
サンプル処理機器は、前記サンプルに関連した１つまたはそれ以上の信号を検知するよう構成され得る。サンプル処理機器は、前記サンプルの１つまたはそれ以上の特性を認識するよう構成され得る。例えば、前記サンプル処理機器は、前記サンプル内の１つの分析物、または複数の分析物、または病気の状態の存在または濃度を検知するよう構成され得る。（例えば、身体の流体、分泌、組織、または他のサンプル内または通して）あるいは、前記サンプル処理機器は、前記サンプル内の１つまたはそれ以上の分析物（病気状態の兆しであり得る）または、病気の状態を検知するため分析され得る、１つまたは複数の信号を検知するよう、構成され得る。前記信号は、前記機器の上、または他の場所で分析され得る。臨床試験の実行は、収集されたデータのどんな分析、または比較を含み得る。または含み得ない。
【００７１】
科学的反応または他の処理ステップは、前記サンプルと、または前記サンプルなしで実行され得る。前記機器によって調製され得る、また実行され得るステップ、試験、または検定の例は、以下を含み得るが、制限されない。免疫検定、核酸検定、レセプターベースの検定、血球計算検定、酵素検定、電気泳動検定、電気化学検定、分光学検定、クロマトグラフィ検定、顕微鏡検定、地形学検定、熱量測定検定、比濁法検定、凝集検定、放射性同位元素検定、粘性検定、凝固検定、凝固時間検定、タンパク質合成検定、組織学的検定、培養検定、浸透性検定、および／または他のタイプの検定、遠心分離、分離、濾過、希釈、濃縮、精製、沈殿、孵化、ピペットでの採取、輸送、細胞溶解、または他のサンプル調製行為またはステップ、またはそれらの組合せ。前記機器によって調製され得る、または実行され得るステップ、試験、または検定は、顕微鏡検査、血球計算、およびイメージを備えているか利用している他の技術を含む、撮像を含み得る。前記機器によって調製され得る、または実行され得るステップ、試験、または検定は、さらに組織学、形態学、運動学、力学、および／またはサンプルの状態の評価を含み得る。そしてそれは、そのような細胞のための評価を含み得る。
【００７２】
機器は短時間で、全てのオンボードステップ（例えば、１つの機器で実行されるステップまたは行為）を実行することが可能であり得る。機器は短時間で、ずべてのオンボードステップを１つの機器上で実行することが可能であり得る。例えば、サンプル収集から、対象物から送信データおよび／または分析まで、約３時間以下、２時間以下、１時間以下、50分以下、45分以下、40分以下、30分以下、20分以下、15分以下、10分以下、5分以下、4分以下、3分以下、2分以下、または1分以下かかり得る。前記機器内で、そのようなサンプルに関しての前記機器よりサンプルを受け取ってから送信データおよび／または分析までの時間は、前記サンプル上で実行される、ステップ、試験、または検定のタイプ、または数に左右され得る。前記機器内で、そのようなサンプルに関しての前記機器よりサンプルを受け取ってから送信データおよび／または分析までの時間は、約３時間以下、２時間以下、１時間以下、50分以下、45分以下、40分以下、30分以下、20分以下、15分以下、10分以下、5分以下、4分以下、3分以下、2分以下、または1分以下かかり得る。
【００７３】
機器は、処分のためにサンプルを調整するよう、または生物学的サンプルといったサンプルを処分するよう、以下のサンプル処理または検定のように構成され得る。
【００７４】
サンプル処理機器は、例えば検査室またはその関係団体などの健康管理の専門家や健康管理の専門家の場所へサンプルに関するデータを提供することが出来ます。一つまたは複数の検査室や健康管理の専門家、及び対象者はネットワーク機器をサンプル処理機器によって提供されたデータを受信したり、アクセスしたりを有することが出来ます。サンプル処理機器は、データベースにサンプルに関するデータを提供するのを構成することが出来ます。サンプル処理機器は、電子カルテシステム、検査室情報システム、検査室自動化システム、または他のシステムまたはソフトウェアへサンプルに関するデータを提供するのを構成することが出来ます。サンプル処理機器は、レポートの形式でデータを提供することが出来ます。
【００７５】
検査室、機器、または他のエンティティあるいはソフトウェアは、リアルタイムでサンプルに関するデータ上の分析を提供することが出来ます。ソフトウェアシステムは、化学的分析及び・または病理分析を行うことが出来ます。あるいは研究室、臨床、及び専門または専門人員の組み合わせ間で分散出来ます。分析は、サンプルの定量及び・または定量評価を含むことが出来ます。データ分析は、サンプルのその後の定量及び・または定量評価を含むことが出来ます。必要に応じて、レポートは生のデータ、前処理済データ、または分析済データに基づいて作成されます。このようなデータは、サンプルから得られるデータの機密性、サンプルをもたらしてくれる対象者に関する身元及び他の情報、データの分析及びその他の機密情報を維持するために作成することが出来ます。レポート及び・またはデータは、健康管理の専門家に送信することが出来ます。サンプル処理機器またはこのようなデータの分析、またはレポートで得られるデータは、データベース、電子カルテシステム、検査室情報システムや検査室自動化システム、または他のシステムあるいはソフトウェアへ提供することが出来ます。
【００７６】
その発明がそのある特定実施例に関して記述及び説明されている間、その当業者は、各種の適応、変更、修正、代用、削除、または手順及びプロトコルの付加は、その発明の精神及び範囲を逸脱することなく定めることが出来ます。例えば、上記の実施例のいずれかで、それが異なる形状の反射器が使用されていることを理解すべきです。一部は、楕円形、三角形、四角形（例えば、正方形、長方形、台形、平行四辺形）、五角形、六角形、七角形、八角形、正方形、円形、他の二次元パターン、または前述の単一及び複数の組み合わせに限定されない断面形状を有することができます。それは、反射器が筒状、円筒形、円形、角錐、メサ等も本発明の使用に適合できることに限定されないある特定の三次元構成に設定することが出来るということも理解されるべきです。本発明の例では光ダイオードの文脈において記述されているが、それは他の固体または半導体（非真空管）検出器も本発明の使用に適合することが出来るということを理解すべきです。
【００７７】
また、濃度、量、及びその他の数値データは範囲形式で本発明を提示することが出来ます。このような範囲形式が便宜及び簡潔さのためだけに使用され、範囲の制限として数値の明記列挙のみに限らず、すべての個々の数値または部分範囲が各数値及び部分範囲を明記列挙しているかのようにその範囲内に包含するのも含めて柔軟に解釈されるべきです。例えば、約１ｎｍから約２００ｎｍのサイズ範囲は、約１ｎｍ及び約２００ｎｍの明示列挙だけでなく、２ｎｍ、３ｎｍ、４ｎｍのような個々のサイズ及び１０ｎｍから５０ｎｍ、２０ｎｍから１００ｎｍなどのような部分範囲を含むことを解釈するべきです。
【００７８】
議論された刊行物または引用された本発明は、本出願日前の開示のためのみ提出されています。本発明の如何なる規定も本発明が先行発明によるこのような刊行物に先行する資格がないという承認として解釈します。更に、規定の公告の日付は独自に確認する必要があり得る実際の刊行日と異なる場合があります。本発明に規定される全ての刊行物は、刊行物が引用されることに関連する構成及び・または方法を開示及び記述するために参照して本発明に組み込まれます。以下の出願は全ての目的を参照して本発明に組み込まれます。:米国特許第8,088,593;米国特許第8,380,541;米国特許第13/769,798、出願2013年2月18日;米国特許第13/769,779、出願2013年2月18日;米国特許第61/766,113出願2013年2月18日、米国特許第13/244,947出願2011年9月26日;PCT/US2012/57155、出願2012年9月25日;米国出願シリアル番号13/244,946、出願2011年9月26日;米国特許第出願13/244,949、出願2011年9月26日;及び米国出願シリアル番号61/673,245、出願2011年9月26日、米国特許第出願シリアル番号61/786,351出願2013年3月15日、米国特許第出願シリアル番号61/697,797出願2011年9月6日、米国特許第出願シリアル番号61/801,996出願2013年3月15日、および米国特許第出願シリアル番号61/733,886出願2012年12月5日出願。特許及び特許出願の開示は、全ての目的とするそれら全体の参照により本発明に組み込まれます。
【００７９】
本発明の優先実施例を示して説明している間、このような実施例が例としてのみ提供されるのは、当業者に明らかです。多数の変形、変更、及び置換は発明から逸脱することなく当業者にこれから生じます。本発明に記載される発明の実施例への様々な選択技が、発明を実施する際に使用しても良いことが理解されるべきです。優先されるかどうかの任意の特徴は、優先されるかどうかの他の任意の特徴と組み合わせることが出来ます。添付請求項は、当制限が目的「手段」を使って与えられた請求項に明示的に記載されない限り、ミーンズ・プラス・ファンクションの制限を含むと解釈されません。それは、後先が明確に別の方法で規定しない限り、複数の参照を含む"a、""an、"and"the"の意味に従う本発明の説明及び請求項を通じて使用されるということを理解すべきであります。例えば、「検定」関連は、単一検定及び複数の検定を参照することが出来ます。また、以下の後先が明確に別の方法で規定しない限り、「内」の意味は「内」及び「上」を含む本発明の説明及び請求項を通じて使用されます。最終的に、以下の後先が明確に別の方法で規定しない限り、「また」の意味は結合的及び選言的の両方を含む本発明の説明及び請求項を通じて使用されます。従って、用語「また」は後先が明確に別の方法で規定しない限り、「及び・また」を含みます。
【図１】
2019082494.tif 000003
【図２】
2019082494.tif 000004
【図３】
2019082494.tif 000005
【図４】
2019082494.tif 000006
【図５】
2019082494.tif 000007
【図６】
2019082494.tif 000008
【図７】
2019082494.tif 000009
【図８】
2019082494.tif 000010